(57)【要約】【課題】電装品の配置を工夫することで、開口孔から電装品が見えないようにして見映えを向上させるとともに、収納空間に収納された工具と電装品との接触を回避できるようにする。【解決手段】収納ボックス３０の天井パネル３１に対して隙間を存して天井側ブラケット４１が配設される。天井側ブラケット４１は、正面パネル３２の開口孔３２ａにおける天井パネル３１側の周縁に沿って延び、フランジ部３２ｂに取り付けられる。天井側ブラケット４１には、電装品５０が取り付けられており、電装品５０は、天井パネル３１と天井側ブラケット４１との隙間に配設されることで、収納ボックス３０の正面パネル３２側から見て正面パネル３２に重なり合っている。【選択図】図２
2014031693.tif 000002
【特許請求の範囲】
【請求項１】
下部走行体と、該下部走行体に搭載された上部旋回体と、該上部旋回体に搭載され且つ内部に収納空間を有する箱状の収納ボックスと、該収納ボックス内に収納された複数の電装品とを備えた建設機械の電装品取付構造であって、
前記電装品が取り付けられ、前記収納ボックスの天井パネルに対して隙間を存して配設された天井側ブラケットを備え、
前記収納ボックスの正面パネルには、その一部が切り欠かれた開口孔が形成され、
前記天井側ブラケットは、前記開口孔における前記天井パネル側の周縁に沿って延び、且つ前記正面パネル側から見て前記電装品が該正面パネルに重なり合うように配設されていることを特徴とする建設機械の電装品取付構造。
【請求項２】
請求項１において、
前記電装品が取り付けられ、前記収納ボックスの側壁パネルに対して隙間を存して配設された側壁側ブラケットを備え、
前記側壁側ブラケットは、前記開口孔における前記側壁パネル側の周縁に沿って延び、且つ前記正面パネル側から見て前記電装品が該正面パネルに重なり合うように配設されていることを特徴とする建設機械の電装品取付構造。
【請求項３】
請求項２において、
前記天井側ブラケットと前記側壁側ブラケットとは、前記開口孔の角部に対応して折り曲げられた１枚の板材で構成されていることを特徴とする建設機械の電装品取付構造。
【請求項４】
請求項２又は３において、
前記天井側ブラケット又は前記側壁側ブラケットには、前記正面パネル側から見て前記開口孔に臨むようにヒューズボックスが取り付けられていることを特徴とする建設機械の電装品取付構造。
【請求項５】
請求項１乃至４のうち何れか１つにおいて、
前記開口孔における前記天井パネル側の周縁部には、前記収納空間側に向かって延びるフランジ部が設けられ、
前記フランジ部には、前記天井側ブラケットが取り付けられていることを特徴とする建設機械の電装品取付構造。
【請求項６】
請求項１乃至５のうち何れか１つにおいて、
前記天井側ブラケットは、その奥行方向の幅が前記電装品の奥行寸法よりも狭く設定され且つ前記正面パネル寄りの位置に配設されていることを特徴とする建設機械の電装品取付構造。
【発明の詳細な説明】
【技術分野】
【０００１】
本発明は、建設機械の電装品取付構造に関するものである。
【背景技術】
【０００２】
従来より、内部に収納空間を有する箱状の収納ボックスと、収納ボックス内に収納された複数の電装品とを備えた建設機械の電装品収納装置が知られている（例えば、特許文献１参照）。
【０００３】
特許文献１に記載の電装品収納装置では、収納ボックス内に仕切り板を配置して、電装品を収納する電装品収納空間と、工具を収納する工具類収納空間とに仕切るようにしている。これにより、１つの収納ボックス内に電装品と工具とを収納することができるので、開閉カバーや収納ボックスの構造が簡素化される。そして、開閉カバーを開くことで、工具を取り出すとともに、電装品のメンテナンスを行うことができる。
【先行技術文献】
【特許文献】
【０００４】
【特許文献１】特開２０１２−００１９２４号公報
【発明の概要】
【発明が解決しようとする課題】
【０００５】
しかしながら、従来の電装品収納装置では、工具を取り出そうとして開閉カバーを開いたときに、メンテナンス開口から電装品が見えてしまうため、見映えが悪いという問題があった。
【０００６】
また、電装品が収納ボックスの下部側にも配設されているため、建設機械の運転中に収納ボックス内に収納した工具が動き、電装品に接触してしまうおそれがあった。
【０００７】
本発明は、かかる点に鑑みてなされたものであり、その目的は、電装品の配置を工夫することで、開口孔から電装品が見えないようにして見映えを向上させるとともに、収納空間に収納された工具と電装品との接触を回避できるようにすることにある。
【課題を解決するための手段】
【０００８】
本発明は、下部走行体と、該下部走行体に搭載された上部旋回体と、該上部旋回体に搭載され且つ内部に収納空間を有する箱状の収納ボックスと、該収納ボックス内に収納された複数の電装品とを備えた建設機械の電装品取付構造を対象とし、次のような解決手段を講じた。
【０００９】
すなわち、第１の発明は、前記電装品が取り付けられ、前記収納ボックスの天井パネルに対して隙間を存して配設された天井側ブラケットを備え、
前記収納ボックスの正面パネルには、その一部が切り欠かれた開口孔が形成され、
前記天井側ブラケットは、前記開口孔における前記天井パネル側の周縁に沿って延び、且つ前記正面パネル側から見て前記電装品が該正面パネルに重なり合うように配設されていることを特徴とするものである。
【００１０】
第１の発明では、収納ボックスの天井パネルに対して隙間を存して天井側ブラケットが配設される。天井側ブラケットは、開口孔における天井パネル側の周縁に沿って延びている。天井側ブラケットには、電装品が取り付けられる。電装品は、天井パネルと天井側ブラケットとの隙間に配設されることで、収納ボックスの正面パネル側から見て正面パネルに重なり合っている。
【００１１】
このような構成とすれば、電装品の配置を工夫することで、開口孔から電装品が見えないようにして見映えを向上させることができる。具体的に、天井側ブラケットは、収納ボックスの正面パネルの天井パネル側の周縁に沿って延びているから、天井パネルと天井側ブラケットとの間には隙間が設けられている。そして、電装品は、この隙間に配設されているが、正面パネル側から見ると、この隙間は正面パネルによって塞がれた状態となっているので、電装品が開口孔から見えることはない。
【００１２】
また、電装品を天井側ブラケットに取り付けることで、電装品を収納空間の上部寄りに配設しているから、建設機械の運転中に収納ボックス内に収納した工具が動いたとしても、工具が電装品に接触するのを回避することができる。
【００１３】
第２の発明は、第１の発明において、
前記電装品が取り付けられ、前記収納ボックスの側壁パネルに対して隙間を存して配設された側壁側ブラケットを備え、
前記側壁側ブラケットは、前記開口孔における前記側壁パネル側の周縁に沿って延び、且つ前記正面パネル側から見て前記電装品が該正面パネルに重なり合うように配設されていることを特徴とするものである。
【００１４】
第２の発明では、収納ボックスの側壁パネルに対して隙間を存して側壁側ブラケットが配設される。側壁側ブラケットは、開口孔における側壁パネル側の周縁に沿って延びている。側壁側ブラケットには、電装品が取り付けられる。電装品は、側壁パネルと側壁側ブラケットとの隙間に配設されることで、収納ボックスの正面パネル側から見て正面パネルに重なり合っている。
【００１５】
このような構成とすれば、電装品の配置を工夫することで、開口孔から電装品が見えないようにして見映えを向上させることができる。具体的に、側壁パネルと側壁側ブラケットとの間には隙間が設けられている。そして、電装品は、この隙間に配設されているが、正面パネル側から見ると、この隙間は正面パネルによって塞がれた状態となっているので、電装品が開口孔から見えることはない。
【００１６】
第３の発明は、第２の発明において、
前記天井側ブラケットと前記側壁側ブラケットとは、前記開口孔の角部に対応して折り曲げられた１枚の板材で構成されていることを特徴とするものである。
【００１７】
第３の発明では、１枚の板材が開口孔の角部に対応して折り曲げられることで、天井側ブラケットと側壁側ブラケットとが構成される。
【００１８】
このような構成とすれば、天井側ブラケットと側壁側ブラケットとを一部品で構成することができ、部品点数を削減してコスト低減を図ることができる。また、天井側ブラケット及び側壁側ブラケットに電装品を取り付けた後で、収納ボックス内に組み付けるようにすれば、組み立て工数を削減することができる。
【００１９】
第４の発明は、第２又は第３の発明において、
前記天井側ブラケット又は前記側壁側ブラケットには、前記正面パネル側から見て前記開口孔に臨むようにヒューズボックスが取り付けられていることを特徴とするものである。
【００２０】
第４の発明では、天井側ブラケット又は側壁側ブラケットにヒューズボックスが取り付けられる。ヒューズボックスは、正面パネル側から見て開口孔に臨むように配設される。
【００２１】
このような構成とすれば、メンテナンス頻度の高いヒューズが収納されたヒューズボックスを開口孔に臨む位置に配設しているから、メンテナンス作業性が向上する。
【００２２】
第５の発明は、第１乃至第４の発明のうち何れか１つにおいて、
前記開口孔における前記天井パネル側の周縁部には、前記収納空間側に向かって延びるフランジ部が設けられ、
前記フランジ部には、前記天井側ブラケットが取り付けられていることを特徴とするものである。
【００２３】
第５の発明では、開口孔における天井パネル側の周縁部にフランジ部が設けられる。フランジ部は、収納空間側に向かって延びており、天井側ブラケットが取り付けられる。
【００２４】
このような構成とすれば、天井側ブラケットを容易に収納空間の上部寄りの位置に取り付けることができる。また、天井側ブラケットの取り付けに際して、天井パネルに取付孔等を形成する必要がないため、取付孔から収納ボックス内に雨水等が侵入するおそれがない。
【００２５】
第６の発明は、第１乃至第５の発明のうち何れか１つにおいて、
前記天井側ブラケットは、その奥行方向の幅が前記電装品の奥行寸法よりも狭く設定され且つ前記正面パネル寄りの位置に配設されていることを特徴とするものである。
【００２６】
第６の発明では、天井側ブラケットの奥行方向の幅は、電装品の奥行寸法よりも狭く設定される。天井側ブラケットは、正面パネル寄りの位置に配設される。
【００２７】
このような構成とすれば、正面パネル寄りの位置に電装品を集中させて配設することで、収納ボックスの上部寄りの位置で且つ奥側に収納スペースを確保することができる。これにより、収納ボックスの奥側の収納スペースに、ＥＣＵ（エンジンコントロールユニット）やメカトロコントローラ等の比較的大きな電装品を設置することができる。
【発明の効果】
【００２８】
本発明によれば、電装品の配置を工夫することで、開口孔から電装品が見えないようにして見映えを向上させることができる。具体的に、天井側ブラケットは、収納ボックスの正面パネルの天井パネル側の周縁に沿って延びているから、天井パネルと天井側ブラケットとの間には隙間が設けられている。そして、電装品は、この隙間に配設されているが、正面パネル側から見ると、この隙間は正面パネルによって塞がれた状態となっているので、電装品が開口孔から見えることはない。
【００２９】
また、電装品を天井側ブラケットに取り付けることで、電装品を収納空間の上部寄りに配設しているから、建設機械の運転中に収納ボックス内に収納した工具が動いたとしても、工具が電装品に接触するのを回避することができる。
【図面の簡単な説明】
【００３０】
【図１】本発明の実施形態に係る建設機械の構成を示す側面図である。
【図２】収納ボックスの構成を示す斜視図である。
【図３】収納ボックスの構成を示す正面図である。
【図４】収納ボックスの構成を示す平面断面図である。
【図５】収納ボックスの天井側ブラケット周辺の構成を示す側面断面図である。
【図６】本変形例に係る収納ボックスの構成を示す正面図である。
【図７】本変形例に係る収納ボックスの構成を示す平面断面図である。
【発明を実施するための形態】
【００３１】
以下、本発明の実施形態を図面に基づいて説明する。なお、以下の好ましい実施形態の説明は、本質的に例示に過ぎず、本発明、その適用物或いはその用途を制限することを意図するものではない。
【００３２】
図１は、本発明の実施形態に係る建設機械の構成を示す側面図である。図１に示すように、この建設機械１０は、キャノピ仕様の小型ショベル、いわゆるミニショベルであり、下部走行体１１と、下部走行体１１上に旋回自在に搭載された上部旋回体１２とを備えている。そして、上部旋回体１２後端の旋回半径が下部走行体１１の車幅内に略収まるような後方小旋回タイプに構成されている。
【００３３】
上部旋回体１２上には、内部に収納空間Ｓを有する収納ボックス３０が載置されている。収納ボックス３０の上部には、運転シート１３が配設されている。つまり、収納ボックス３０は、運転シート１３のシートスタンドを兼ねている。運転シート１３の後方には、図示しないエンジン等を収納するためのエンジン収納スペースが設けられ、エンジンカバー１７により覆われている。
【００３４】
上部旋回体１２の前側には、作業用途に応じて取り替え可能なフロントアタッチメント１６を接続するための接続用ブラケット１４が設けられている。この接続用ブラケット１４には、フロントアタッチメント１６を垂直軸１４ａ周りに回動可能なスイングブラケット１５が連結されている。
【００３５】
フロントアタッチメント１６は、ブーム１６ａ、アーム１６ｂ、バケット１６ｃ及びこれらを駆動させる油圧シリンダ１６ｄとを備えており、ブーム１６ａの基端部がスイングブラケット１５に接続されている。なお、スイングブラケット１５は、図示しないスイングシリンダを伸縮動作させることによって、左右方向にスイング動作するようになっている。
【００３６】
運転シート１３の前方には、上部旋回体１２の床面から上方に延びる操作レバー１８が設けられている。この操作レバー１８を操作することにより、下部走行体１１を前進又は後退させることができる。
【００３７】
また、運転シート１３の周囲には、キャノピ支柱２１が立設している。キャノピ支柱２１の上端部には、頭上からの落下物に対して作業者を保護するためのルーフ２２が取り付けられて、ルーフ２２を運転シート１３上方に配置するように支持している。運転シート１３の前方には、操作レバー１８の可動範囲よりも前側に配置されて運転シート１３の下部位置を保護するフロントガード２３が配設されている。
【００３８】
図２は、収納ボックスの構成を示す斜視図、図３は正面図、図４は平面断面図である。図２〜図４に示すように、収納ボックス３０は、天井パネル３１、正面パネル３２、一対の側壁パネル３３、底面パネル３４、及び背面パネル３５を組み合わせることによって箱状に形成され、内部に収納空間Ｓが設けられている。
【００３９】
正面パネル３２には、その一部が切り欠かれた開口孔３２ａが形成されている。作業者は、開口孔３２ａから収納空間Ｓ内に工具（図示省略）等を収納することができる。
【００４０】
底面パネル３４の前縁には、左右方向に間隔をあけてヒンジ３６が取り付けられている。ヒンジ３６には、開閉扉３７が回動自在に取り付けられている。開閉扉３７を開閉することで、正面パネル３２の開口孔３２ａを開閉させることができる。
【００４１】
収納ボックス３０の収納空間Ｓには、複数の電装品５０が収納されている。電装品５０は、例えば、リレーやタイマユニット等で構成されている。電装品５０は、取付部材４０に取り付けられている。取付部材４０は、１枚の板材を開口孔３２ａの角部に対応して折り曲げることによって形成されている。具体的に、取付部材４０は、開口孔３２ａにおける天井パネル３１側の周縁に沿って延びる天井側ブラケット４１と、開口孔３２ａにおける左側の側壁パネル３３側の周縁に沿って延びる側壁側ブラケット４２とを有している。
【００４２】
天井側ブラケット４１は、天井パネル３１に対して隙間を存して配設されている。具体的に、図５にも示すように、正面パネル３２の開口孔３２ａにおける天井パネル３１側の周縁部には、収納空間Ｓ側に向かって延びるフランジ部３２ｂが設けられている。フランジ部３２ｂの上面には、ウエルドナット３８が溶接されている。天井側ブラケット４１は、フランジ部３２ｂの下面に当接した状態で締結ボルト４５によって締結固定される。これにより、天井側ブラケット４１は、正面パネル３２寄りの位置に配設されている。
【００４３】
天井側ブラケット４１には、左右方向に間隔をあけて複数の電装品５０が取り付けられている。具体的に、天井側ブラケット４１は、その奥行方向の幅が電装品５０の奥行寸法よりも狭く設定されている。また、電装品５０の前端部には、取付片５０ａが設けられており、取付片５０ａを締結ボルト４５及び締結ナット４６で天井側ブラケット４１における奥側の周縁部に共締めすることで、電装品５０が天井側ブラケット４１に取り付けられている。ここで、電装品５０は、正面パネル３２側から見て正面パネル３２に重なり合うように、天井パネル３１と天井側ブラケット４１との隙間に配設されている。
【００４４】
なお、天井側ブラケット４１のフランジ部３２ｂへの取付作業は、天井側ブラケット４１及び側壁側ブラケット４２に対して電装品５０を取り付けてサブ組み立てした後で行うことが好ましい。
【００４５】
一方、側壁側ブラケット４２は、左側の側壁パネル３３に対して隙間を存して配設されている。側壁側ブラケット４２の左側面には、電装品５０が取り付けられている。このように、側壁側ブラケット４２に取り付けられた電装品５０は、正面パネル３２側から見て正面パネル３２に重なり合うように、側壁パネル３３と側壁側ブラケット４２との隙間に配設されている。
【００４６】
このように、電装品５０を正面パネル３２側から見て正面パネル３２に重なり合うように配設したから、電装品５０が開口孔３２ａから見えなくなって見映えが向上する。
【００４７】
側壁側ブラケット４２の右側面には、ヒューズボックス５１が取り付けられている。ヒューズボックス５１は、正面パネル３２側から見て開口孔３２ａを臨むように配設されている。このようにすれば、メンテナンス頻度の高いヒューズが収納されたヒューズボックス５１に対して作業者がアクセスしやすくなり、メンテナンス作業性が向上する。
【００４８】
背面パネル３５の上部寄りの位置には、配線孔３５ａが形成されている。電装品５０には、電気配線５５が接続されており、この電気配線５５が束ねられて配線孔３５ａから収納ボックス３０外部に配索されている。
【００４９】
以上のように、本実施形態に係る建設機械１０の電装品取付構造によれば、電装品５０の配置を工夫することで、開閉扉３７を開いても開口孔３２ａから電装品５０が見えないようにして見映えを向上させることができる。具体的に、電装品５０は、天井パネル３１と天井側ブラケット４１との隙間、及び車両左側の側壁パネル３３と側壁側ブラケット４２との隙間に配設されている。そして、正面パネル３２側から見ると、この隙間は正面パネル３２によって塞がれた状態となっているので、開閉扉３７を開いても電装品５０が開口孔３２ａから見えることはない。
【００５０】
また、電装品５０を天井側ブラケット４１に取り付けることで、電装品５０を収納空間Ｓの上部寄りに配設しているから、建設機械１０の運転中に収納ボックス３０内に収納した工具が動いたとしても、工具が電装品５０に接触するのを回避することができる。
【００５１】
《変形例》
図６は、本変形例に係る収納ボックスの構成を示す正面図、図７は平面断面図である。図６及び図７に示すように、本変形例では、収納ボックス３０の奥側の収納スペースに、ＥＣＵ５２（エンジンコントローラ）やメカトロコントローラ等の比較的大きな電装品を設置するようにしている。
【００５２】
具体的に、天井側ブラケット４１の奥行方向の幅は、電装品５０の奥行寸法よりも狭く設定されている。また、天井側ブラケット４１は、フランジ部３２ｂに締結固定されることで、正面パネル３２寄りの位置に配設されている。
【００５３】
このように、正面パネル３２寄りの位置に電装品５０を集中させて配設することで、収納ボックス３０の上部寄りの位置で且つ奥側に収納スペースを確保することができる。そのため、収納ボックス３０の奥側の収納スペースに、ＥＣＵ５２を設置することが可能となり、ＥＣＵ５２のメンテナンス作業性が向上する。
【００５４】
《その他の実施形態》
前記実施形態については、以下のような構成としてもよい。
【００５５】
本実施形態では、側壁側ブラケット４２を車両左側に配設した形態について説明したが、車両右側に配設してもよい。また、左右両側にそれぞれ配設してもよい。
【００５６】
また、本実施形態では、開口孔３２ａにおける天井パネル３１側の周縁部にフランジ部３２ｂを設け、このフランジ部３２ｂに天井側ブラケット４１を取り付けるようにしたが、この形態に限定するものではなく、開口孔３２ａにおける側壁パネル３３側の周縁部にフランジ部を設けてもよい。また、例えば、天井パネル３１の下面にスペーサを溶接しておき、このスペーサに天井側ブラケット４１を吊り下げて取り付けるようにしてもよい。
【産業上の利用可能性】
【００５７】
以上説明したように、本発明は、電装品の配置を工夫することで、開口孔から電装品が見えないようにして見映えを向上させるとともに、収納空間に収納された工具と電装品との接触を回避できるという実用性の高い効果が得られることから、きわめて有用で産業上の利用可能性は高い。
【符号の説明】
【００５８】
１０    建設機械
１１    下部走行体
１２    上部旋回体
３０    収納ボックス
３１    天井パネル
３２    正面パネル
３２ａ  開口孔
３２ｂ  フランジ部
３３    側壁パネル
４１    天井側ブラケット
４２    側壁側ブラケット
５０    電装品
５１    ヒューズボックス
Ｓ    収納空間
【図１】
2014031693.tif 000003
【図２】
2014031693.tif 000004
【図３】
2014031693.tif 000005
【図４】
2014031693.tif 000006
【図５】
2014031693.tif 000007
【図６】
2014031693.tif 000008
【図７】
2014031693.tif 000009